(57)【特許請求の範囲】
【請求項１】
１つ以上の第１有機ＥＬ（Electro Luminescence）パネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、
１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、
前記第１出力部、前記第２出力部と接続され、ドライバを介して前記第１入力部、前記第２入力部と接続されたコントローラと、を備え、
前記コントローラは、
前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、前記ドライバを介しての前記第１入力部への電力の供給を停止し、前記ドライバを介して前記第２入力部に電力を供給することで前記第２有機ＥＬパネル群を照明手段として機能させる
ことを特徴とする照明装置。
【請求項２】
１つ以上の第１有機ＥＬ（Electro Luminescence）パネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、
１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、
前記第１出力部、前記第２出力部と接続され、ドライバを介して前記第１入力部、前記第２入力部と接続されたコントローラと、を備え、
前記コントローラは、
前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、その後、前記第２出力部から受ける電力の値が当該許容下限電力値を維持するように、前記ドライバを介して前記第１入力部に供給する電力の値を増加させ、増加させた電力の値が所定の許容上限電力値まで上がったとき、前記ドライバを介しての前記第１入力部への電力の供給を停止し、前記ドライバを介して前記第２入力部に電力を供給することで前記第２有機ＥＬパネル群を照明手段として機能させる
ことを特徴とする照明装置。
【請求項３】
前記第１有機ＥＬパネル群および前記第２有機ＥＬパネル群の一方が発する光の一部を、前記第１有機ＥＬパネル群および前記第２有機ＥＬパネル群の他方に導く導光部材を、さらに備える
ことを特徴とする請求項１または請求項２に記載の照明装置。
【請求項４】
前記コントローラは、
前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の第１電力値以上であるとき、前記ドライバを介しての前記第１入力部への電力の供給量を低下させ、
前記ドライバを介して前記第２入力部に電力を供給することで前記第２有機ＥＬパネル群を照明手段として機能させる場合、受光した光を光電変換することにより前記第１有機ＥＬパネルに発生する電力を前記第１出力部を介して受けることで前記第１有機ＥＬパネル群を光センサとして機能させ、前記第１出力部から受けた電力の値が前記第１電力値以上であるとき、前記ドライバを介しての前記第２入力部への電力の供給量を低下させる
ことを特徴とする請求項１から請求項３のいずれか一項に記載の照明装置。
【請求項５】
１つ以上の第１有機ＥＬ（Electro Luminescence）パネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、
１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、
前記第１出力部、前記第２出力部と接続され、ドライバを介して前記第１入力部、前記第２入力部と接続されたコントローラと、を備える照明装置による照明制御方法であって、
前記コントローラは、
前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、前記ドライバを介しての前記第１入力部への電力の供給を停止し、前記ドライバを介して前記第２入力部に電力を供給することで前記第２有機ＥＬパネル群を照明手段として機能させる
ことを特徴とする照明制御方法。
【請求項６】
１つ以上の第１有機ＥＬ（Electro Luminescence）パネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、
１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、
前記第１出力部、前記第２出力部と接続され、ドライバを介して前記第１入力部、前記第２入力部と接続されたコントローラと、を備える照明装置による照明制御方法であって、
前記コントローラは、
前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、その後、前記第２出力部から受ける電力の値が当該許容下限電力値を維持するように、前記ドライバを介して前記第１入力部に供給する電力の値を増加させ、増加させた電力の値が所定の許容上限電力値まで上がったとき、前記ドライバを介しての前記第１入力部への電力の供給を停止し、前記ドライバを介して前記第２入力部に電力を供給することで前記第２有機ＥＬパネル群を照明手段として機能させる
ことを特徴とする照明制御方法。
【請求項７】
前記コントローラは、
前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の第１電力値以上であるとき、前記ドライバを介しての前記第１入力部への電力の供給量を低下させ、
前記ドライバを介して前記第２入力部に電力を供給することで前記第２有機ＥＬパネル群を照明手段として機能させる場合、受光した光を光電変換することにより前記第１有機ＥＬパネルに発生する電力を前記第１出力部を介して受けることで前記第１有機ＥＬパネル群を光センサとして機能させ、前記第１出力部から受けた電力の値が前記第１電力値以上であるとき、前記ドライバを介しての前記第２入力部への電力の供給量を低下させる
ことを特徴とする請求項５または請求項６に記載の照明制御方法。
【発明の詳細な説明】
【技術分野】
【０００１】
本発明は、有機ＥＬ（Electro Luminescence）素子を含んで構成される有機ＥＬパネルを用いた照明装置およびその照明制御方法に関する。
【背景技術】
【０００２】
照明装置には、低製作コスト、低消費電力、長寿命化、輝度安定化、調光機能（周囲の明るさに応じて輝度を変える機能）、自己診断機能（発光性能の劣化を自動で検出する機能）など、多くのことが求められる。
【０００３】
それらを総合的に考えると、例えば、ＬＥＤ（Light Emitting Diode）は、優れた照明手段の１つである。例えば、特許文献１には、ＬＥＤと光センサを組み合わせ、光センサが検出した周囲の明るさに応じてＬＥＤの発光強度を変更する技術が記載されている。
【０００４】
また、特許文献２には、ＬＥＤが照明機能だけでなく光センサ機能も有する点に着目し、ＬＥＤに発光と周囲の明るさ検出を交互に行わせることで調光機能を実現した照明装置に関する技術が記載されている。
【先行技術文献】
【特許文献】
【０００５】
【特許文献１】米国特許第６６１７５６０号明細書
【特許文献２】特表２０１０−５２５５６７号公報
【発明の概要】
【発明が解決しようとする課題】
【０００６】
しかしながら、特許文献１の技術では、ＬＥＤのほかに光センサが必要になることで、製作コストが高くなるという問題がある。
また、特許文献２の技術では、調光機能は実現できるが、ＬＥＤに発光と周囲の明るさ検出を交互に行わせるため、自己診断機能を実現することができないという問題がある。
【０００７】
一方、近年、有機ＥＬ素子を含んで構成される有機ＥＬパネルを用いた照明装置の開発が盛んに行われている。有機ＥＬ素子は、赤、緑、青、黄、白などに発光する様々な有機材料の膜（発光層）を陰極基板と透明な陽極とで挟んだ構成を有し、当該電極間に電圧が印加されると発光する。また、有機ＥＬ素子は、光センサ機能も有する。つまり、有機ＥＬ素子は、受光すると、その受光量に応じた大きさの電力を発生させる。したがって、有機ＥＬ素子に発生した電力の大きさから、受光量を特定することができる。また、有機ＥＬ素子は面発光光源であり、その他にも高輝度、高応答速度、高フレキシブル性などを有するので、有機ＥＬパネルは優れた照明手段の１つであると言える。
【０００８】
そこで、本発明は、前記問題に鑑みてなされたものであり、専用の光センサを用いることなく自己診断機能を実現する有機ＥＬパネルを用いた照明装置および照明制御方法を提供することを課題とする。
【課題を解決するための手段】
【０００９】
本発明の前記課題は、下記の手段により達成される。
【００１１】
（２）１つ以上の第１有機ＥＬパネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、前記第１出力部、前記第２出力部と接続され、ドライバを介して前記第１入力部、前記第２入力部と接続されたコントローラと、を備え、前記コントローラは、前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、前記ドライバを介しての前記第１入力部への電力の供給を停止し、前記ドライバを介して前記第２入力部に電力を供給することで前記第２有機ＥＬパネル群を照明手段として機能させることを特徴とする照明装置。
【００１２】
（３）１つ以上の第１有機ＥＬパネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、前記第１出力部、前記第２出力部と接続され、ドライバを介して前記第１入力部、前記第２入力部と接続されたコントローラと、を備え、前記コントローラは、前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、その後、前記第２出力部から受ける電力の値が当該許容下限電力値を維持するように、前記ドライバを介して前記第１入力部に供給する電力の値を増加させ、増加させた電力の値が所定の許容上限電力値まで上がったとき、前記ドライバを介しての前記第１入力部への電力の供給を停止し、前記ドライバを介して前記第２入力部に電力を供給することで前記第２有機ＥＬパネル群を照明手段として機能させることを特徴とする照明装置。
【００１３】
（４）前記第１有機ＥＬパネル群および前記第２有機ＥＬパネル群の一方が発する光の一部を、前記第１有機ＥＬパネル群および前記第２有機ＥＬパネル群の他方に導く導光部材を、さらに備えることを特徴とする（２）または（３）に記載の照明装置。
【００１４】
（５）前記コントローラは、前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の第１電力値以上であるとき、前記ドライバを介しての前記第１入力部への電力の供給量を低下させ、前記ドライバを介して前記第２入力部に電力を供給することで前記第２有機ＥＬパネル群を照明手段として機能させる場合、受光した光を光電変換することにより前記第１有機ＥＬパネルに発生する電力を前記第１出力部を介して受けることで前記第１有機ＥＬパネル群を光センサとして機能させ、前記第１出力部から受けた電力の値が前記第１電力値以上であるとき、前記ドライバを介しての前記第２入力部への電力の供給量を低下させることを特徴とする（２）から（４）のいずれかに記載の照明装置。
【００１５】
（６）１つ以上の第１有機ＥＬパネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、前記第１出力部、前記第２出力部と接続され、ドライバを介して前記第１入力部、前記第２入力部と接続されたコントローラと、を備える照明装置による照明制御方法であって、前記コントローラは、前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、前記ドライバを介しての前記第１入力部への電力の供給を停止し、前記ドライバを介して前記第２入力部に電力を供給することで前記第２有機ＥＬパネル群を照明手段として機能させることを特徴とする照明制御方法。
【００１６】
（７）１つ以上の第１有機ＥＬパネル、前記第１有機ＥＬパネルの発光用の電力の入力を受付ける第１入力部、および、受光した光を光電変換することにより前記第１有機ＥＬパネルに発生する電力の出力を行う第１出力部を有する第１有機ＥＬパネル群と、１つ以上の第２有機ＥＬパネル、前記第２有機ＥＬパネルの発光用の電力の入力を受付ける第２入力部、および、受光した光を光電変換することにより前記第２有機ＥＬパネルに発生する電力の出力を行う第２出力部を有する第２有機ＥＬパネル群と、前記第１出力部、前記第２出力部と接続され、ドライバを介して前記第１入力部、前記第２入力部と接続されたコントローラと、を備える照明装置による照明制御方法であって、前記コントローラは、前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の許容下限電力値まで下がったとき、その後、前記第２出力部から受ける電力の値が当該許容下限電力値を維持するように、前記ドライバを介して前記第１入力部に供給する電力の値を増加させ、増加させた電力の値が所定の許容上限電力値まで上がったとき、前記ドライバを介しての前記第１入力部への電力の供給を停止し、前記ドライバを介して前記第２入力部に電力を供給することで前記第２有機ＥＬパネル群を照明手段として機能させることを特徴とする照明制御方法。
【００１７】
（８）前記コントローラは、前記ドライバを介して前記第１入力部に電力を供給することで前記第１有機ＥＬパネル群を照明手段として機能させる場合、受光した光を光電変換することにより前記第２有機ＥＬパネルに発生する電力を前記第２出力部を介して受けることで前記第２有機ＥＬパネル群を光センサとして機能させ、前記第２出力部から受けた電力の値が所定の第１電力値以上であるとき、前記ドライバを介しての前記第１入力部への電力の供給量を低下させ、前記ドライバを介して前記第２入力部に電力を供給することで前記第２有機ＥＬパネル群を照明手段として機能させる場合、受光した光を光電変換することにより前記第１有機ＥＬパネルに発生する電力を前記第１出力部を介して受けることで前記第１有機ＥＬパネル群を光センサとして機能させ、前記第１出力部から受けた電力の値が前記第１電力値以上であるとき、前記ドライバを介しての前記第２入力部への電力の供給量を低下させることを特徴とする（６）または（７）に記載の照明制御方法。
【発明の効果】
【００１８】
本発明によれば、専用の光センサを用いることなく自己診断機能を実現する有機ＥＬパネルを用いた照明装置および照明制御方法を提供することができる。
【図面の簡単な説明】
【００１９】
【図１】本発明の一実施形態に係る照明装置のブロック構成図である。
【図２】本発明の一実施形態に係る照明装置の構成図である。
【図３】有機ＥＬパネルの輝度の経時変化の様子を示すグラフである。
【図４】照明装置の自己診断機能を実現する処理の例を示すフローチャートである。
【図５】（ａ）は有機ＥＬパネルの輝度の経時変化の様子を示すグラフであり、（ｂ）はそのときの電力の値の変化の様子を示すグラフである。
【図６】照明装置の自己診断機能と調光機能を実現する処理の例を示すフローチャートである。
【図７】（ａ）は反射板を備えた照明装置の構成図であり、（ｂ）は（ａ）のＡ−Ａ断面図である。
【図８】第１有機ＥＬパネルと第２有機ＥＬパネルとをチェックパターンに配置した場合の照明装置の構成図である。
【発明を実施するための形態】
【００２０】
以下、本発明を実施するための形態（以下、「実施形態」と称する。）について、図面を参照（言及図以外も適宜参照）しながら詳細に説明する。図１に示すように、本実施形態の照明装置１は、コントローラ２、第１ドライバ３１（ドライバ）、第２ドライバ３２（ドライバ）、第１有機ＥＬパネル群４１、第２有機ＥＬパネル群４２、および、電源ボタン７を備えて構成される。なお、以下において、第１有機ＥＬパネル群４１と第２有機ＥＬパネル群４２を特に区別しないときは、「有機ＥＬパネル群」と称する。
【００２１】
コントローラ２は、例えば、ＣＰＵ（Central Processing Unit）、メモリ、インタフェースを含んで構成され、照明装置１における制御手段である。コントローラ２は、第１有機ＥＬパネル群４１の第１出力部４１２（後記）、第２有機ＥＬパネル群４２の第２出力部４２２（後記）と接続され、また、第１ドライバ３１を介して第１有機ＥＬパネル群４１の第１入力部４１１（後記）と接続され、さらに、第２ドライバ３２を介して第２有機ＥＬパネル群４２の第２入力部４２１（後記）と接続される。
【００２２】
第１ドライバ３１は、コントローラ２から指令信号を受けると、第１有機ＥＬパネル群４１の第１入力部４１１に対し、その指令信号に対応した大きさの電力を供給する。
第２ドライバ３２は、コントローラ２から指令信号を受けると、第２有機ＥＬパネル群４２の第２入力部４２１に対し、その指令信号に対応した大きさの電力を供給する。
【００２３】
第１有機ＥＬパネル群４１は、１つ以上の第１有機ＥＬパネル５１（図２参照）、第１有機ＥＬパネル５１の発光用の電力の入力を受付ける第１入力部４１１、および、受光した第１有機ＥＬパネル５１に発生する電力の出力を行う第１出力部４１２を有する。
【００２４】
第２有機ＥＬパネル群４２は、１つ以上の第２有機ＥＬパネル５２（図２参照）、第２有機ＥＬパネル５２の発光用の電力の入力を受付ける第２入力部４２１、および、受光した第２有機ＥＬパネル５２に発生する電力の出力を行う第２出力部４２２を有する。
【００２５】
第１有機ＥＬパネル５１と第２有機ＥＬパネル５２は、有機ＥＬ素子を含んで構成される。第１有機ＥＬパネル５１と第２有機ＥＬパネル５２は、サイズ、構成、性能がすべて同じでもよいし、同じでなくてもよい。なお、以下において、第１有機ＥＬパネル５１と第２有機ＥＬパネル５２を特に区別しないときは、「有機ＥＬパネル」と称する。また、有機ＥＬパネルのサイズは、例えば、数ｍｍ角程度であればよいが、これに限定されない。
【００２６】
電源ボタン７は、照明装置１の電源（不図示）をオン／オフするためのボタンである。照明装置１の使用の開始時にユーザが電源ボタン７を押すと、照明装置１の電源がオンになり、照明装置１の使用の終了時にユーザが電源ボタン７を押すと、照明装置１の電源がオフになる。
【００２７】
図２に示すように、照明装置１では、第１有機ＥＬパネル５１が一直線状に並べられた集合が複数設けられることで、第１有機ＥＬパネル群４１が形成されている。第２有機ＥＬパネル群４２についても同様である。なお、本実施形態では第１有機ＥＬパネル５１と第２有機ＥＬパネル５２はサイズ等が同じものであるとするが、図２では、それらを視覚的に見分けやすくするために、第１有機ＥＬパネル５１にハッチングを施している。
【００２８】
次に、有機ＥＬパネルの輝度の経時変化について説明する。有機ＥＬパネルが照明手段として機能する場合、有機ＥＬパネルへ供給される電力の値が一定であると、図３に示すように、まず、初期輝度値Ｌ０で発光し、その後、輝度が漸減し、時間ｔ１（数千時間程度）経過時に輝度が許容下限輝度値Ｌｌまで減少し、その時点で照明手段としての有機ＥＬパネルを交換する必要が生じる。許容下限輝度値Ｌｌは、有機ＥＬパネルの照明手段としての使用が許容される下限の輝度値であり、例えば、初期輝度値Ｌ０の５０％〜７０％程度の値である。
【００２９】
次に、照明装置１の自己診断機能を実現する処理の例について説明する。なお、当該処理を実施するための制御プログラムはコントローラ２内のメモリに保存されており、その制御プログラムがＣＰＵにより読み出されて実行される（図６に示す処理についても同様）。
【００３０】
図４に示すように、動作停止状態の照明装置１の電源ボタン７をユーザが押すと、照明装置１の電源がオンとなる（ステップＳ４１）。
次に、第１有機ＥＬパネル群４１が点灯し、第２有機ＥＬパネル群４２が光センサとして機能する（ステップＳ４２）。つまり、コントローラ２が、第１ドライバ３１を介して第１入力部４１１に電力を供給することで、第１有機ＥＬパネル群４１が照明手段として機能する。また、コントローラ２が、受光した第２有機ＥＬパネル群４２からの電力を第２出力部４２２を介して受けることで、第２有機ＥＬパネル群４２が光センサとして機能する。なお、第２有機ＥＬパネル群４２が受ける光としては、第１有機ＥＬパネル群４１が発する光のほか、他の照明や太陽による光（以下、「他光」と称する。）が考えられる。
【００３１】
次に、コントローラ２は、発光している第１有機ＥＬパネル群４１の輝度が許容下限輝度値（図３参照）以上か否かを判断し（ステップＳ４３）、Ｙｅｓの場合はステップＳ４２に戻り、Ｎｏの場合はステップＳ４４に進む。具体的には、ステップＳ４３において、コントローラ２は、第２出力部４２２から受けた電力の値が所定の許容下限電力値（許容下限輝度値に対応する電力値）以上であるか否かを判断する。
【００３２】
そして、ステップＳ４３でＮｏの場合は、第１有機ＥＬパネル群４１による照明機能が劣化したと考えられるので、ステップＳ４４以降の処理に移る。つまり、第１有機ＥＬパネル群４１と第２有機ＥＬパネル群４２の役割を交替させる。なお、ステップＳ４３において、第１有機ＥＬパネル群４１による照明機能が劣化していても、他光の強度によってはすぐにステップＳ４３でＮｏとならない場合も考えられるが、その後に他光の強度がある程度小さくなればステップＳ４３でＮｏとなることや、他光が強いならその場の明るさに問題はないので第１有機ＥＬパネル群４１による照明機能の劣化をすぐに検知できなくても支障はないことなどから、問題はないと考えられる。
【００３３】
ステップＳ４４において、第２有機ＥＬパネル群４２が点灯し、第１有機ＥＬパネル群４１が光センサとして機能する。つまり、コントローラ２が、第１ドライバ３１を介しての第１入力部４１１への電力の供給を停止し、第２ドライバ３２を介して第２入力部４２１に電力を供給することで、第２有機ＥＬパネル群４２が照明手段として機能する。また、コントローラ２が、受光した第１有機ＥＬパネル群４１からの電力を第１出力部４１２を介して受けることで、第１有機ＥＬパネル群４１が光センサとして機能する。
【００３４】
次に、コントローラ２は、発光している第２有機ＥＬパネル群４２の輝度が許容下限輝度値（図３参照）以上か否かを判断し（ステップＳ４５）、Ｙｅｓの場合はステップＳ４４に戻り、Ｎｏの場合はステップＳ４６に進む。ステップＳ４５の処理はステップＳ４３の処理と同様であるので、詳細な説明を省略する。
【００３５】
ステップＳ４６において、コントローラ２は、交換アラームを出力する（ステップＳ４６）。この出力は、音声、表示、外部装置へのデータ送信などにより行うことができる。これにより、ユーザは、第１有機ＥＬパネル群４１および第２有機ＥＬパネル群４２のいずれの照明機能も劣化しており、交換が必要であることを知ることができる。なお、図４には特に示していないが、照明装置１の使用の終了時にユーザが電源ボタン７を押すと、照明装置１の電源がオフとなり、図４に示す処理は終了する（図６に示す処理についても同様）。
【００３６】
このように、本実施形態の照明装置１およびその照明制御方法によれば、専用の光センサを用いることなく、自己診断機能を実現することができ、また、途中で第１有機ＥＬパネル群４１と第２有機ＥＬパネル群４２の役割を交替させることで、従来よりも寿命を約２倍に延ばすことができる。
【００３７】
次に、他の実施形態について説明する。図５（ａ）（ｂ）に示すように、有機ＥＬパネルが照明手段として機能する場合、まず、ドライバを介して有機ＥＬパネルへ供給する電力の値を一定とし、輝度が初期輝度値Ｌ０から許容下限輝度値Ｌｌ（時間ｔ２）まで減少したとき、それまで一定だった電力の値（初期電力値Ｉ０）を、輝度を維持するように漸増させる。そして、増加させた電力の値が所定の許容上限電力値ＩＵまで上がったとき、有機ＥＬパネルの照明機能が劣化したと判断し、ドライバを介しての有機ＥＬパネルへの電力の供給を停止し、その有機ＥＬパネルによる照明動作を停止する。このような制御（請求項２，６に対応した制御）をすることで、図３の場合に比べて、有機ＥＬパネルの寿命を（ｔ３−ｔ２）の時間分延ばすことができる。
【００３８】
次に、照明装置１に関し、自己診断機能だけでなく調光機能も併せて実現する場合の処理例について説明する。なお、図４のフローチャートにおける処理と同様の処理については、図４のフローチャートにおけるその処理のステップ番号を併記し、詳細な説明を適宜省略する。
【００３９】
図６に示すように、動作停止状態の照明装置１の電源ボタン７をユーザが押すと、照明装置１の電源がオンとなる（ステップＳ６０１）。
次に、第１有機ＥＬパネル群４１が点灯し、第２有機ＥＬパネル群４２が光センサとして機能する（ステップＳ６０２：ステップＳ４２と同様）。
【００４０】
次に、コントローラ２は、周囲環境の照度（第１有機ＥＬパネル群４１による照明も含めた照度。以下、同様）を判断し（ステップＳ６０３）、「設定範囲内」の場合はステップＳ６０２に戻り、「過剰」の場合はステップＳ６０４に進み、「不足」の場合はステップＳ６０５に進む。なお、「設定範囲」とは、第１有機ＥＬパネル群４１による照明の強度を調整する必要がないと考えられる周囲環境の照度の範囲であり、例えば、第１有機ＥＬパネル群４１の輝度が初期輝度値Ｌ０である場合の周囲環境の照度の７０％〜１００％程度の範囲とすればよく、予め設定される。
【００４１】
また、「過剰」とは、設定範囲の上限値を超えた照度を指し、「不足」とは、設定範囲の下限値を下回った照度を指す。なお、ステップＳ６０３において、具体的には、コントローラ２は、第２出力部４２２から受けた電力の値によって判断を行う。
【００４２】
ステップＳ６０４において、周囲環境の照度が大きく第１有機ＥＬパネル群４１の輝度（照明の強度）を下げるのが妥当であると考えられるので、コントローラ２は、第１有機ＥＬパネル群４１に供給する電力の値を低下させることで、第１有機ＥＬパネル群４１の輝度を低下させ、ステップＳ６０３に戻る。
【００４３】
ステップＳ６０５において、すでに第１有機ＥＬパネル群４１の照明機能が劣化しはじめていると考えられるが、コントローラ２は、第１有機ＥＬパネル群４１に供給する電力の値を増加させることで輝度の低下を抑制し（図５参照）、第１有機ＥＬパネル群４１の長寿命化を図る。ステップＳ６０５の後、コントローラ２は、第１有機ＥＬパネル群４１に供給している電力の値が許容上限電力値以上か否かを判断し（ステップＳ６０６）、Ｎｏの場合はステップＳ６０３に戻り、Ｙｅｓの場合は、第１有機ＥＬパネル群４１による照明機能が劣化したと考えられるので、ステップＳ６０７以降の処理に移る（第１有機ＥＬパネル群４１と第２有機ＥＬパネル群４２の役割を交替させる）。
【００４４】
なお、第１有機ＥＬパネル群４１による照明機能が劣化していても、他光の強度によってはすぐにステップＳ６０６でＮｏとならない場合も考えられるが、その後に他光の強度がある程度小さくなればステップＳ６０６でＮｏとなることや、他光が強いならその場の明るさに問題はないので第１有機ＥＬパネル群４１による照明機能の劣化をすぐに検知できなくても支障はないことなどから、問題はないと考えられる。
【００４５】
ステップＳ６０７〜Ｓ６１１の処理は、第１ドライバ３１および第１有機ＥＬパネル群４１と、第２ドライバ３２および第２有機ＥＬパネル群４２とが入れ替わるほかは、ステップＳ６０２〜Ｓ６０６の処理と同様であるので、詳細な説明を省略する。
ステップＳ６１１でＹｅｓの場合、コントローラ２は、交換アラームを出力する（ステップＳ６１２：ステップＳ４６と同様）。
【００４６】
このようにして、照明装置１によれば、自己診断機能だけでなく、調光機能（ステップＳ６０４、Ｓ６０５、Ｓ６０９、Ｓ６１０の処理）も併せて実現することができる。
【００４７】
次に、図７（ａ）（ｂ）を参照し、変形例として、反射板を備えた照明装置１ａ（１）について説明する。照明装置１ａは、図２に示す照明装置１の構成に対して、反射板６が追加された構成となっている。反射板６は、例えば、第１有機ＥＬパネル群４１および第２有機ＥＬパネル群４２に向けた側に反射面を有する鏡によって実現することができる。
【００４８】
これにより、第１有機ＥＬパネル群４１および第２有機ＥＬパネル群４２の一方から発せられた光が他方に多く届くようになり、自己診断機能の精度を高くすることができる。
【００４９】
次に、図８を参照し、変形例として、有機ＥＬパネルの配置を変えた照明装置１ｂ（１）について説明する。照明装置１ｂでは、第１有機ＥＬパネル５１と第２有機ＥＬパネル５２とがチェックパターン（いわゆる市松模様）に配置されている。このようにすることで、照明手段を第１有機ＥＬパネル群４１（第１有機ＥＬパネル５１）から第２有機ＥＬパネル群４２（第２有機ＥＬパネル５２）に切り替えたときに、見た目の変化が小さく、使用の違和感を低減できる。
【００５０】
また、チェックパターンにおいて、個別の有機ＥＬパネルのサイズを小さくすれば、見た目の変化をさらに小さくし、使用の違和感をさらに低減できる。つまり、有機ＥＬパネルが群に分けられていることを認識させないようにすることができる。また、第１有機ＥＬパネル５１と第２有機ＥＬパネル５２とを、チェックパターンのほかに、細かなストライプ状に配列しても、ほぼ同様の作用、効果を得ることができる。
【００５１】
以上で本実施形態の説明を終えるが、本発明の態様はこれらに限定されるものではない。
例えば、コントローラ２は、ＣＰＵ、メモリ、インタフェースを含んで構成される代わりに、ＩＣ（Integrated Circuit）、ＬＳＩ（Large Scale Integration）などの集積回路によって実現してもよい。すなわち、前記した実施形態ではプログラムを用いたソフトウエア的な処理として説明したが、専用の集積回路を用いたハードウエア的な処理としてもよい。
【００５２】
また、第１有機ＥＬパネル５１と第２有機ＥＬパネル５２は、まったく同じものでなくても、サイズ、構成、性能（発光色、光束など）などが異なっていてもよい。
また、複数の第１有機ＥＬパネル５１それぞれについて、サイズ、構成、性能（発光色、光束など）などが異なっていてもよい。第２有機ＥＬパネル５２についても同様である。
【００５３】
また、図７では、第１有機ＥＬパネル群４１および第２有機ＥＬパネル群４２の一方が発する光の一部を、第１有機ＥＬパネル群４１および第２有機ＥＬパネル群４２の他方に導く導光部材として、反射板６を例にとって説明したが、そのほかに、光ファイバなどであってもよい。光ファイバを用いる場合は、光ファイバを湾曲させ、その両端それぞれが第１有機ＥＬパネル群４１と第２有機ＥＬパネル群４２それぞれの方向に向くように配置すればよい。
【００５４】
また、有機ＥＬ素子の表面に汚れ分解作用のある光触媒膜をコーティングすることで汚れなどの付着を防止すれば、有機ＥＬ素子の発光性能や光センサ機能の低下を抑制することができる。
【００５５】
また、反射板６や光ファイバなどの導光部材は、第１有機ＥＬパネル５１および第２有機ＥＬパネル５２のすべてに対して設置するのではなく、それらの一部に対して設置するようにしてもよい。
【００５６】
また、自己診断機能の精度を高めるために、発光する側の有機ＥＬパネルの非発光時と発光時の両方について周囲環境の照度を測定し、その差に基づいて照明機能の劣化を判断してもよい。その際、発光する側の有機ＥＬパネルの非発光時の周囲環境の照度の強さごとの、照明機能が正常な場合の有機ＥＬパネルの非発光時と発光時との差の情報を予め求めて保持しておけばよい。
【００５７】
また、第１有機ＥＬパネル群４１の照明機能がある程度まで劣化してから、照明手段を第１有機ＥＬパネル群４１から第２有機ＥＬパネル群４２に切り替えるのではなく、例えば、照明装置１の電源のオン／オフをするたびに照明手段の切り替えを行うなどして、第１有機ＥＬパネル群４１と第２有機ＥＬパネル群４２の劣化の進行が併行するようにしてもよい。
【００５８】
また、照明機能が低下した第１有機ＥＬパネル群４１をその後、受光手段として使用する場合、受光機能の低下を考慮して補正処理を行うようにしてもよい。
また、有機ＥＬ素子の駆動は、連続駆動であってもよいし、あるいは、途切れていることが視認できない程度の周波数でのパルス駆動であってもよい。
【００５９】
また、人感センサと組み合わせて、人の存在を検出したときだけ、発光する、あるいは発光強度を上げるなどして、有機ＥＬパネルのさらなる長寿命化を図ってもよい。
また、有機ＥＬパネル群の一方を光センサとして使用する場合、個別の有機ＥＬパネルすべてを使用せず、一部を使用するようにしてもよい。
【００６０】
また、変形例として、第１有機ＥＬパネル群、第２有機ＥＬパネル群、第３有機ＥＬパネル群という３つの有機ＥＬパネル群を有する照明装置とすることができる。その場合、例えば、第１有機ＥＬパネル群を赤色（R）、第２有機ＥＬパネル群を緑色（G）、第３有機ＥＬパネル群を青色（B）として設定し、交互に点灯することで、調光または調色を行うことができる。
その場合、一度に（R）（G）（B）のどれか一つだけを光らせ、他のパネルの一部または全てをセンサとして用いる方法や、一度に（R）（G）（B）のどれか一つだけを消灯し、それをセンサとして用いることができる。以上のような駆動の切り替えを高速に行えば、人の目には白色光あるいは種々の光色として認識させることができる。
【００６１】
また、照明装置１について、第１ドライバ３１と第２ドライバ３２の２つのドライバがあるものとしたが（図１参照）、ドライバは必ずしも２つ必要であるわけではなく、例えば、コントローラ２と、第１有機ＥＬパネル群４１および第２有機ＥＬパネル群４２の間に１つのドライバを設置し、スイッチングによってそのドライバが切り替え動作するようにしてもよい。
【００６２】
また、図６のステップＳ６０６やステップＳ６１１において、電力の値で判断を行っているが、電流の値や電圧の値によって判断を行ってもよい。
その他、具体的な構成について、本発明の主旨を逸脱しない範囲で適宜変更が可能である。
【符号の説明】
【００６３】
１、１ａ、１ｂ  照明装置
２      コントローラ
６      反射板
７      電源ボタン
３１    第１ドライバ（ドライバ）
３２    第２ドライバ（ドライバ）
４１    第１有機ＥＬパネル群
４２    第２有機ＥＬパネル群
５１    第１有機ＥＬパネル
５２    第２有機ＥＬパネル
４１１  第１入力部
４１２  第１出力部
４２１  第２入力部
４２２  第２出力部
【図１】
0005617767.tif 000002
【図２】
0005617767.tif 000003
【図３】
0005617767.tif 000004
【図４】
0005617767.tif 000005
【図５】
0005617767.tif 000006
【図６】
0005617767.tif 000007
【図７】
0005617767.tif 000008
【図８】
0005617767.tif 000009